【事件の表示】
　特願２０１６−５５１４９８「蓄電セル制御装置および蓄電モジュールマネジメントシステム」拒絶査定不服審判事件〔平成２８年　４月　７日国際公開、ＷＯ２０１６／０５１６８４〕について、次のとおり審決する。
【結　論】
　本件審判の請求は、成り立たない。
【理　由】
第１　手続の経緯
　本願は、２０１５年（平成２７年）９月９日（優先権主張　平成２６年９月２９日）を国際出願日とする出願であって、その手続の経緯は以下のとおりである。
　平成３０年　７月３１日　　：手続補正書の提出
　令和　元年　５月２８日付け：拒絶理由通知書
　令和　元年　７月２９日　　：意見書の提出
　令和　元年１２月１３日付け：拒絶査定（同年１２月１７日送達、以下「原査定」という。）  
　令和　２年　３月　３日　　：審判請求書、手続補正書の提出
第２　令和２年３月３日にされた手続補正についての補正の却下の決定
［補正の却下の決定の結論］
　令和２年３月３日にされた手続補正を却下する。
［補正の却下の決定の理由］　
１　補正の内容
　令和２年３月３日にされた手続補正（以下「本件補正」という。）により、本件補正前の特許請求の範囲の請求項１が、下記の補正前請求項１から補正後請求項１に補正された。
＜補正前請求項１＞
「【請求項１】
　複数の蓄電セルが接続された蓄電モジュールに対して、各蓄電セルの電圧を測定する蓄電セル制御装置であって、
　前記蓄電モジュールにおける各蓄電セルの電圧がそれぞれ入力され、入力に応じた第１デジタル信号を出力する複数の第１ＡＤＣ（Ａｎａｌｏｇ−ｔｏ−Ｄｉｇｉｔａｌ Ｃｏｎｖｅｒｔｅｒ）と、
　前記複数の第１ＡＤＣに対応してそれぞれ設けられ、当該第１ＡＤＣの変換動作の基準となる第１参照電圧を供給する複数の第１参照電圧部と、
　第２デジタル信号を出力する第２ＡＤＣと、
　前記複数の第１参照電圧部に接続され、前記複数の第１参照電圧部のいずれかから供給される前記第１参照電圧を選択して、前記第２ＡＤＣに与える選択部と、
　前記複数の第１デジタル信号から、当該複数の蓄電セルの各々の電圧値を求める電圧値取得部と、
　前記各々の電圧値を、前記第２デジタル信号から得た補正データを基にして補正する電圧値補正部と、を備える
　蓄電セル制御装置。」
＜補正後請求項１＞
「【請求項１】
　複数の蓄電セルが接続された蓄電モジュールに対して、各蓄電セルの電圧を測定する蓄電セル制御装置であって、
　
前記蓄電セル制御装置は、
　
前記複数の蓄電セルの各蓄電セルに対応してそれぞれ設けられる複数の第１ＡＤＣ（Ａｎａｌｏｇ−ｔｏ−Ｄｉｇｉｔａｌ　Ｃｏｎｖｅｒｔｅｒ）を備え、
　前記複数の第１ＡＤＣの各第１ＡＤＣは、
し、
　
前記蓄電セル制御装置は、さらに
　前記複数の第１ＡＤＣに対応してそれぞれ設けられ、当該第１ＡＤＣの変換動作の基準となる第１参照電圧を供給する複数の第１参照電圧部と、
　第２デジタル信号を出力する第２ＡＤＣと、
　前記複数の第１参照電圧部に接続され、前記複数の第１参照電圧部のいずれかから供給される前記第１参照電圧を選択して、前記第２ＡＤＣに与える選択部と、
　前記複数の第１デジタル信号から、当該複数の蓄電セルの各々の電圧値を求める電圧値取得部と、
　前記各々の電圧値を、前記第２デジタル信号から得た補正データを基にして補正する電圧値補正部と、を備える
　蓄電セル制御装置。」（下線は、補正箇所を示す。）
　本件補正は、本件補正前の「前記蓄電モジュールにおける各蓄電セルの電圧がそれぞれ入力され、入力に応じた第１デジタル信号を出力する複数の第１ＡＤＣ（Ａｎａｌｏｇ−ｔｏ−Ｄｉｇｉｔａｌ Ｃｏｎｖｅｒｔｅｒ）」について、「複数の第１ＡＤＣ」が「複数の蓄電セルの各蓄電セルに対応してそれぞれ設けられ」ているものに限定する補正を含むものであり、かつ本件補正前の請求項１に記載された発明と本件補正後の請求項１に記載される発明は、産業上の利用分野及び解決しようとする課題が同一であることから、本件補正は、特許法第１７条の２第５項第２号に規定する特許請求の範囲の減縮を目的とする補正である。
　そこで、本件補正後の請求項１に係る発明が、特許出願の際独立して特許を受けることができるものであるかについて検討する。
２　本件補正後の本願発明
　本件補正後の請求項１に係る発明（以下「本願補正発明」という。）は、本件補正により補正された特許請求の範囲、明細書及び図面からみて、その請求項１に記載された事項により特定されるとおりのものと認める。
３　引用刊行物に記載された発明
　原査定の拒絶の理由に引用され、本願の優先日前の平成２１年９月３日に頒布された刊行物である特開２００９−１９８４４８号公報（以下「引用刊行物１」という。）には、「電圧検出装置」（発明の名称）に関して、図面とともに以下の事項が記載されている。
＜記載事項１＞
「【０００１】
　本発明は、電圧検出装置に係り、特に、
二次電池から成る単位セルが複数直列接続された組電池を複数に分割したブロック毎に電圧検出を行う電圧検出装置に関するものである
【背景技術】
【０００２】
　近年、エンジンと電動モータとを併用して走行するハイブリッド自動車（以下ＨＥＶ）が普及してきている。このＨＥＶは、上記エンジン始動用の１２Ｖ程度の低圧バッテリと、上記電動モータ駆動用の高圧バッテリと、の２種類のバッテリを備えている。上述した高圧バッテリは、ニッケル−水素電池やリチウム電池といった二次電池を単位セルとして、この単位セルを複数直列接続して高電圧を得ている。
【０００３】
　上述した高圧バッテリは充放電を繰り返すうちに各単位セルの両端電圧、即ち充電状態（ＳＯＣ）にばらつきが生じる。バッテリの充放電にあたっては、各単位セルの耐久性や安全確保の観点より、ＳＯＣ（又は両端電圧）の最も高い単位セルが設定上限ＳＯＣ（又は上限両端電圧値）に到達した時点で充電を禁止し、ＳＯＣ（又は両端電圧）の最も低い単位セルが設定下限ＳＯＣ（又は下限両端電圧値）に到達した時点で放電を禁止する必要がある。
従って、各単位セルにＳＯＣのバラツキが生じると、実質上、バッテリの使用可能容量が減少することになる
そこで、各単位セルのＳＯＣを均等化するために、各単位セルの両端電圧を検出する必要がある
＜記載事項２＞
「【００１２】
　
第１実施形態
　以下、本発明の第１実施形態を図面に基づいて説明する。図１は、本発明の電圧検出装置の一実施形態を示すブロック図である。図中引用符号ＢLは低圧バッテリである。低圧バッテリＢLは、図１に示すように、例えば一つの二次電池から構成されている。低圧バッテリＢLは、エンジンを始動するスタータの動作電源として用いられ、その両端にはオルタネータ等が必要に応じて充電器として接続される。
【００１３】
　また、図中引用符号ＢHは組電池としての高圧バッテリである。上記高圧バッテリＢHは、エンジンと電動モータを走行駆動源として併用するＨＥＶにおいて前記電動モータの電源として用いられ、その両端には電動モータが必要に応じて負荷として接続されると共にオルタネータ等が必要に応じて充電器として接続される。
【００１４】
　
高圧バッテリＢHは、ｎ個（ｎは任意の整数）のブロックＢ1〜Ｂnに分割されている
各ブロックＢ1〜Ｂnは例えばそれぞれ２個の単位セルＣ11〜Ｃn2から構成されている
【００１５】
　高圧検出回路１１〜１ｎは、ブロックＢ1〜Ｂn毎に対応して設けられている。高圧検出回路１１〜１ｎは、複数のブロックＢ1〜Ｂnのうち対応するブロックＢ1〜Ｂnを構成する単位セルＣ11〜Ｃn2のみから電源供給を受けて動作して、対応するブロックＢ1〜Ｂnを構成する単位セルＣ11〜Ｃn2の両端電圧を検出する。即ち、上述した高圧検出回路１１〜１ｎは、対応するブロックＢ1〜Ｂnのマイナス側がグランドレベルになり、互いに異なるグランドレベルとなっている。これにより高圧検出回路１１〜１ｎを構成するデバイスの耐圧を下げることができる。
【００１６】
　次に、上述した高圧検出回路１１〜１ｎの構成について図２を参照して説明する。同図に示すように、
高圧検出回路１１〜１ｎは各々、対応するブロックＢ1〜Ｂnを構成する単位セルＣ11〜Ｃn2の両端が接続されるキャパシタＣｐと、対応するブロックＢ1〜Ｂnを構成する単位セルＣ11〜Ｃn2の一つの両端をキャパシタＣｐに接続する選択スイッチ群２４と、キャパシタＣｐを介して供給された単位セルＣ11〜Ｃn2の両端電圧をデジタル変換するアナログ／デジタル変換手段としてのＡ／Ｄ変換器２２と、キャパシタＣｐ及びＡ／Ｄ変換器２２間に設けられたスイッチＳ１１、Ｓ１２と、Ａ／Ｄ変換器２２に基準電圧を供給する基準電圧源２５と、高圧検出回路１１〜１ｎ全体を制御する高圧系ＣＰＵ２５と、を備えている
【００１７】
　
上記選択スイッチ群２４は、単位セルＣ11〜Ｃn2の両端に設けられたスイッチから構成されている
基準ブロックとしてのブロックＢ1の基準電圧源２５は、例えば±0.01％程度の高精度のものを用いている
一方、非基準ブロックとしてのブロックＢ2〜Ｂnは、例えば±0.5％程度のブロックＢ1に比べて低精度のものを用いている
＜記載事項３＞
「【００１９】
　
図２に示すように、上記高圧検出回路１１を除く高圧検出回路１２〜１ｎは、ブロックＢ2〜Ｂnに対応して設けられたＡ／Ｄ変換器２２の基準電圧Ｖref2〜Ｖrefnの分圧をブロックＢ1に対応して設けられたＡ／Ｄ変換器２２に対して入力する第１の入力手段としての入力回路２７を備えている
【００２０】
　入力回路２７は各々、基準電圧Ｖref2〜Ｖrefnと各ブロックＢ2〜Ｂnのグランドとの間に設けられた分圧抵抗Ｒ１、Ｒ２と、これら分圧抵抗Ｒ１、Ｒ２により分圧された基準電圧Ｖref2〜Ｖrefnを増幅する演算増幅器２８と、演算増幅器２８の出力、及び、ブロックＢ1のキャパシタＣｐの一端、間に設けられたスイッチＳ２１と、対応するブロックＢ2〜Ｂnのグランド、及び、キャパシタＣｐの他端、間に設けられたスイッチＳ２２と、から構成されている。
【００２１】
　次に、上述した構成の電圧検出装置の基準電圧検出動作について図３及び図４を参照して以下説明する。図３は、図１に示す低圧系制御回路３０の基準電圧検出処理手順を示すフローチャートである。図４は、高圧系ＣＰＵ２５の基準電圧検出処理手順を示すフローチャートである。所定のタイミングで低圧系制御回路３０は、基準電圧検出処理を開始する。基準電圧検出処理において低圧系制御回路３０はまず、覚醒信号を出力する（ステップＳｐ１）。覚醒信号は、図示しない絶縁デバイスを介して各ブロックＢ1〜Ｂnに設けた図示しない電源回路に供給される。各ブロックＢ1〜Ｂnの電源回路は、上記覚醒信号を受信すると、高圧検出回路１１〜１ｎに対して電源を供給する。そして、高圧検出回路１１〜１ｎの高圧系ＣＰＵ２５は、電源供給に応じてスリープモードが解除されて、図４及び図５に示す高圧系基準電圧検出処理を開始する。
【００２２】
　次に、低圧系制御回路３０は、任意の整数であるｍ（整数）を２にセットした後（ステップＳｐ２）、送信ラインＬT1に対してブロックＢm宛に基準電圧検出命令を送信する（ステップＳｐ３）。これに応じてブロックＢ1の高圧系ＣＰＵ２５から低圧系制御回路３０に対してブロックＢmの基準電圧Ｖrefmの分圧値のデジタル値が送信される。低圧系制御回路３０は、基準電圧Ｖrefmの分圧値のデジタル値を受信して図示しない記憶媒体内に格納すると（ステップＳｐ４）、ｍが最上位のアドレスｎに達したか否かを判断する（ステップＳｐ５）。
【００２３】
　ｍが最上位のアドレスｎに達していれば（ステップＳｐ５でＹ）、低圧系制御回路３０は、基準電圧Ｖref2〜Ｖrefnの全ての分圧値のデジタル値を高圧側から受信したと判断して、スリープ信号を出力した後に（ステップＳｐ７）、低圧系基準電圧検出処理を終了する。スリープ命令は、図示しない絶縁デバイスを介して各ブロックＢ1〜Ｂnに設けた図示しない電源回路に供給される。各ブロックＢ1〜Ｂnの電源回路は、上記スリープ命令を受信すると、高圧検出回路１１〜１ｎに対して電源を遮断する。これに対して、ｍが最上位のアドレスｎに達していなければ（ステップＳｐ５でＮ）、低圧系制御回路３０は、ｍをインクリメントした後に（ステップＳｐ６）、ステップＳｐ３に戻る。これにより、低圧系制御回路３０からはブロックＢ2〜Ｂn宛の基準電圧検出命令が順次、高圧側に対して送信される。
【００２４】
　一方、図４に示すように、
任意のブロックＢp（ｐは１〜ｎまでの整数）の高圧検出回路１ｐの高圧系ＣＰＵ２５は、上記基準電圧検出命令を受信すると（ステップＳｐ１１でＹ）、その基準電圧検出命令の宛先が自己のアドレスｐであるか否かを判断する（ステップＳｐ１２）
自己のアドレスｐ（＝ｍ）であれば（ステップＳ１２でＹ）、ブロックＢpの高圧検出回路１ｐの高圧系ＣＰＵ２５は、スイッチＳ２１及びＳ２２をオンする（ステップＳｐ１３）
【００２５】
　
スイッチＳ２１及びＳ２２のオンに応じて、ブロックＢ1のキャパシタＣｐの両端にブロックＢpの基準電圧Ｖrefpの分圧が供給される
【００２６】
　これに対して、高圧検出回路１ｐの高圧系ＣＰＵ２５は、自己のアドレスｐ（≠ｍ）でなければ（ステップＳｐ１２でＮ）、ステップＳｐ１１で受信した基準電圧検出命令を一つ上位のブロックＢp+1の高圧系ＣＰＵ２５に対して転送する（ステップＳｐ１７）。また、任意のブロックＢpの高圧検出回路１ｐの高圧系ＣＰＵ２５は、充電完了信号を受信すると（ステップＳｐ１８でＹ）、充電完了信号の宛先が自己のアドレスｐであるか否かを判断する（ステップＳｐ１９）。自己のアドレスｐ（≠１）でなければ（ステップＳｐ１９でＮ）、その充電完了信号を一つ下位のブロックＢp-1に転送した後（ステップＳｐ２０）、Ｓｐ１１に戻る。
【００２７】
　
一方、高圧検出回路１ｐの高圧系ＣＰＵ２５は、自己のアドレスｐ（＝１）であれば（ステップＳｐ１９でＹ）、スイッチＳ１１及びＳ１２をオンして（ステップＳｐ２１）、キャパシタＣｐに蓄積された基準電圧Ｖrefmの分圧値をＡ／Ｄ変換器２２に入力してデジタル値に変換させる
次に、ブロックＢpの高圧系ＣＰＵ２５は、ステップＳｐ２２で取り込んだデジタル値に充電完了信号の送信元アドレスを添付して低圧系制御回路３０に送信して（ステップＳｐ２４）、ステップＳｐ１１に戻る
【００２８】
　
上述した低圧系基準電圧検出処理、高圧系基準電圧検出処理により、低圧系制御回路３０には、ブロックＢ1に対応して設けられたＡ／Ｄ変換器２２により変換されたブロックＢ2〜Ｂnに対応して設けられたＡ／Ｄ変換器２２の基準電圧Ｖref2〜Ｖrefnの分圧のデジタル値が順次格納される
＜記載事項４＞
「【００３０】
　次に、低圧系制御回路３０は、任意の整数であるｍ（整数）を１にセットした後（ステップＳｐ３２）、送信ラインＬT1に対してブロックＢm宛にセル電圧検出命令を送信する（ステップＳｐ３３）。
これに応じて高圧側から低圧系制御回路３０に対してブロックＢmを構成する単位セルＣm1、Ｃm2の両端電圧のデジタル値ＡＤCm1、ＡＤCm2が送信される
【００３１】
　これに対して、デジタル値ＡＤC11、ＡＤC12でなければ(ステップＳｐ３５でＮ)、
低圧系制御回路３０は、補正手段として働き、ステップＳｐ３４で受信したデジタル値ＡＤCm1、ＡＤCm2を補正して格納した
ステップＳｐ３７において低圧系制御回路３０は、上述した基準電圧検出処理にて格納したブロックＢ1に設けられたＡ／Ｄ変換器２２により変換されたブロックＢmの基準電圧Ｖrefmの分圧に基づいて、ブロックＢ1の基準電圧Ｖref1とブロックＢmの基準電圧Ｖrefmとの差に起因してブロックＢmに対応して設けられたＡ／Ｄ変換器２２により変換された単位セルＣm1、Ｃm2の両端電圧ＶCm1、ＶCm2のデジタル値ＡＤCm1、ＡＤCm2に生じる誤差を消去するように補正する
【００３２】
　より詳しく説明すると、ブロックＢmの基準電圧ＶrefmのＡ／Ｄ変換器２２を用いて両端電圧ＶCm1、ＶCm2（アナログ値）をＡ／Ｄ変換すると、両端電圧ＶCm1、ＶCm2のデジタル値ＡＤCm1、ＡＤCm2は下記の式（１）によって表される。
なお、２qはＡ／Ｄ変換器２２の分解能を示す
　ＡＤCm1＝ＶCm1×２q／Ｖrefm
　ＡＤCm2＝ＶCm2×２q／Ｖrefm …（１）
　これに対して、ブロックＢ1の基準電圧Ｖref1のＡ／Ｄ変換器２２で両端電圧ＶCm1、ＶCm2をＡ／Ｄ変換すると、両端電圧ＶCm1、ＶCm2のデジタル値ＡＤCm1´、ＡＤCm2´は下記の式（２）によって表される。
　ＡＤCm1´＝ＶCm1×２q／Ｖref1
　ＡＤCm2´＝ＶCm2×２q／Ｖref1 …（２）
　よって、下記の式（３）に示すようにステップＳｐ３４で受信したデジタル値ＡＤCm1、ＡＤCm2を補正すれば、基準電圧ＶrefmのＡ／Ｄ変換器２２で変換されたデジタル値ＡＤCm1、ＡＤCm2を基準電圧Ｖref1のＡ／Ｄ変換器２２で変換されたデジタル値ＡＤCm1´、ＡＤCm2´に変換することができる。
　ＡＤCm1´＝ＡＤCm1×Ｖrefm／Ｖref1
　ＡＤCm1´＝ＡＤCm1×Ｖrefm／Ｖref1 …（３）
【００３３】
　
上述した基準電圧Ｖrefmは、上述した基準電圧検出処理により格納された基準電圧Ｖrefmの分圧値のデジタル値ＡＤVrefmにより求めることができる
なお、抵抗Ｒ１、Ｒ２による分圧比をＫとする
　ＡＤVrefm＝Ｖrefm×（１／Ｋ）×２q／Ｖref1 …（４）
　これを変形すると下記に示す式（５）が得られる。
　Ｖrefm＝（Ｖref1／２q）×Ｋ×ＡＤVrefm …（５）
　そこで、式（５）を式（３）に代入すると、
下記の式（６）に示す補正式を得ることができる。 
ＡＤCm1´＝ＡＤCm1×ＡＤVrefm×Ｋ×（１／２q）
ＡＤCm2´＝ＡＤCm2×ＡＤVrefm×Ｋ×（１／２q）
【００３４】
　
よって、図５のステップＳｐ３７において高圧系ＣＰＵ２５は、ステップＳｐ３４で受信したデジタル値ＡＤCm1、ＡＤCm2に図３のステップＳｐ４で受信したデジタル値ＡＤVrefmとＫと（１／２q）とを乗じた値を補正した新たなデジタル値ＡＤCm1、ＡＤCm2とする
上述した式（６）に示す補正式を用いることにより、基準電圧ＶrefmのＡ／Ｄ変換器２２によって変換された単位セルＣm1、Ｃm2の両端電圧ＶCm1、ＶCm2のデジタル値ＡＤCm1、ＡＤCm2を、基準電圧Ｖref1のＡ／Ｄ変換器２２によって変換された単位セルＣm1、Ｃm2の両端電圧ＶCm1、ＶCm2のデジタル値ＡＤCm1、ＡＤCm2に変換して、ブロックＢ1の基準電圧Ｖref1とブロックＢmの基準電圧Ｖrefmとの差に起因してブロックＢmに対応して設けられたＡ／Ｄ変換器２２により変換された単位セルＣm1、Ｃm2の両端電圧ＶCm1、ＶCm2のデジタル値ＡＤCm1、ＡＤCm2に生じる誤差を消去することができる
【００３５】
　ステップＳｐ３８において、低圧系制御回路３０は、ｍが最上位のアドレスｎに達したか否かを判断する。
ｍが最上位のアドレスｎに達していれば（ステップＳｐ３８でＹ）、低圧系制御回路３０は、全てのブロックＢ1〜Ｂnを構成する単位セルＣ11〜Ｃn2の両端電圧のデジタル値をブロックＢ1の高圧系ＣＰＵ２５から受信したと判断して、スリープ信号を出力した後に（ステップＳｐ３９）、低圧系セル電圧検出処理を終了する
【図１】
【図２】
　【００２２】、【００２４】、【００２５】、【００２７】から、基準電圧検出命令を受信したブロックＢmは、当該ブロックＢmに対応するスイッチＳ２１及びＳ２２をオンし、当該ブロックＢｍの基準電圧Ｖrefｍの分圧を、ブロックＢ１のキャパシタＣｐを介して、ブロックＢ1に対応して設けられたＡ／Ｄ変換器２２に供給していること、すなわち、スイッチＳ２１及びＳ２２は、いずれかのブロックＢmの基準電圧Ｖrefｍの分圧を選択して、ブロックＢ1に対応して設けられたＡ／Ｄ変換器２２に供給していることが読み取れる。
　以上を総合すると、上記記載事項１〜４及び上記図１〜２の記載からみて、引用刊行物１には、以下の発明（以下「引用発明」という。）が記載されているものと認められる。
「二次電池から成る単位セルが複数直列接続された組電池を、それぞれ２個の単位セルから構成される複数のブロックに分割し、各ブロックを構成する２個の単位セルの一つの両端電圧を選択スイッチ群２４により選択することにより、単位セル毎の電圧検出を行う電圧検出装置であって（【０００１】、【０００３】、【００１４】、【００１６】）、
　前記電圧検出装置は、
　前記２個の単位セルから構成される複数のブロックＢ2〜Ｂnに対応して設けられたＡ／Ｄ変換器２２を備え（【００１６】、【００２８】、【図２】）、
　前記複数のブロックＢ2〜Ｂnに対応して設けられたＡ／Ｄ変換器２２は、選択スイッチ群２４によって選択された、当該ブロックを構成する単位セルの一つの両端電圧をデジタル変換し（【００１６】、【００２８】）、
　前記電圧検出装置は、さらに、
　前記複数のブロックＢ2〜Ｂnに対応して設けられたＡ／Ｄ変換器２２に対応して、それぞれ設けられた基準電圧Ｖref2〜Ｖrefnを供給する基準電圧源２６と（【００１６】、【００１９】、【図２】）、
　ブロックＢ2〜Ｂnに対応して設けられたＡ／Ｄ変換器２２の基準電圧Ｖref2〜Ｖrefnの分圧値をデジタル値に変換する、ブロックＢ1に対応して設けられたＡ／Ｄ変換器２２と（【００２７】、【００２８】）、
　いずれかのブロックＢmの基準電圧Ｖrefｍの分圧を選択して、ブロックＢ1に対応して設けられたＡ／Ｄ変換器２２に供給するスイッチＳ２１及びＳ２２と（【００２２】、【００２４】、【００２５】、【００２７】）、
　前記ブロックＢ2〜Ｂnに設けられたＡ／Ｄ変換器２２により変換された単位セルの両端電圧のデジタル値を検出し、前記ブロックＢ1に設けられたＡ／Ｄ変換器２２により変換された前記ブロックＢ2〜Ｂnの基準電圧の分圧値のデジタル値に基づいて補正する低圧系制御回路３０と（【００３０】、【００３１】、【００３３】〜【００３５】）、を備える
　電圧検出装置。」
４　対比
（１）本願補正発明と引用発明の対比
　本願補正発明と引用発明を対比する。
ア　引用発明の「二次電池から成る単位セル」、「二次電池から成る単位セルが複数直列接続された」、「組電池」は、それぞれ本願補正発明の「蓄電セル」、「複数の蓄電セルが接続された」、「蓄電モジュール」に相当する。
　また、【０００３】の「各単位セルのＳＯＣを均等化するために、各単位セルの両端電圧を検出する必要がある。」との記載からみて、引用発明の「電圧検出装置」が、各単位セルのＳＯＣを均等化する制御装置に属するものであることは明らかである。
　よって、引用発明の「二次電池から成る単位セルが複数直列接続された組電池を、それぞれ２個の単位セルから構成される複数のブロックに分割し、各ブロックを構成する２個の単位セルの一つの両端電圧を選択スイッチ群２４により選択することにより、単位セル毎の電圧検出を行う電圧検出装置」は、本願補正発明の「複数の蓄電セルが接続された蓄電モジュールに対して、各蓄電セルの電圧を測定する蓄電セル制御装置」に相当する。
イ　引用発明の「複数のブロックＢ2〜Ｂnに対応して設けられたＡ／Ｄ変換器２２」は、本願補正発明の「複数の第１ＡＤＣ（Ａｎａｌｏｇ−ｔｏ−Ｄｉｇｉｔａｌ　Ｃｏｎｖｅｒｔｅｒ）」に相当する。
　よって、引用発明の「２個の単位セルから構成される複数のブロックＢ2〜Ｂnに対応して設けられたＡ／Ｄ変換器２２」と本願補正発明の「複数の蓄電セルの各蓄電セルに対応してそれぞれ設けられる複数の第１ＡＤＣ（Ａｎａｌｏｇ−ｔｏ−Ｄｉｇｉｔａｌ　Ｃｏｎｖｅｒｔｅｒ）」とは、「複数の蓄電セルに対応して設けられる複数の第１ＡＤＣ（Ａｎａｌｏｇ−ｔｏ−Ｄｉｇｉｔａｌ　Ｃｏｎｖｅｒｔｅｒ）」という点で共通する。
ウ　引用発明の「単位セルの一つの両端電圧」、「デジタル変換し」は、それぞれ本願補正発明の「前記蓄電モジュールにおける各蓄電セルの電圧」、「入力に応じた第１デジタル信号を出力し」に相当する。
　よって、引用発明の「複数のブロックＢ2〜Ｂnに対応して設けられたＡ／Ｄ変換器２２は、選択スイッチ群２４によって選択された、当該ブロックを構成する単位セルの一つの両端電圧をデジタル変換し」と本願補正発明の「複数の第１ＡＤＣの各第１ＡＤＣは、前記蓄電モジュールにおける各蓄電セルの電圧がそれぞれ入力され、入力に応じた第１デジタル信号を出力し」とは、「複数の第１ＡＤＣの各第１ＡＤＣは、前記蓄電モジュールにおける各蓄電セルの電圧が入力され、入力に応じた第１デジタル信号を出力し」という点で共通する。
エ　引用発明の「複数のブロックＢ2〜Ｂnに対応して設けられたＡ／Ｄ変換器２２」、「基準電圧Ｖref2〜Ｖrefn」、「基準電圧源２６」は、それぞれ本願補正発明の「複数の第１ＡＤＣ」、「第１ＡＤＣの変換動作の基準となる第１参照電圧」、「第１参照電圧部」に相当する。
　よって、引用発明の「複数のブロックＢ2〜Ｂnに対応して設けられたＡ／Ｄ変換器２２に対応して、それぞれ設けられた基準電圧Ｖref2〜Ｖrefnを供給する基準電圧源２６」は、本願補正発明の「複数の第１ＡＤＣに対応してそれぞれ設けられ、当該第１ＡＤＣの変換動作の基準となる第１参照電圧を供給する複数の第１参照電圧部」に相当する。
オ　引用発明の「ブロックＢ2〜Ｂnに対応して設けられたＡ／Ｄ変換器２２の基準電圧Ｖref2〜Ｖrefnの分圧値をデジタル値に変換する」、「ブロックＢ1に対応して設けられたＡ／Ｄ変換器２２」は、それぞれ本願補正発明の「第２デジタル信号を出力する」、「第２ＡＤＣ」に相当する。
　よって、引用発明の「ブロックＢ2〜Ｂnに対応して設けられたＡ／Ｄ変換器２２の基準電圧Ｖref2〜Ｖrefnの分圧値をデジタル値に変換する、ブロックＢ1に対応して設けられたＡ／Ｄ変換器２２」は、本願補正発明の「第２デジタル信号を出力する第２ＡＤＣ」に相当する。
カ　引用発明の「スイッチＳ２１及びＳ２２」は、本願補正発明の「選択部」に相当する。
　引用発明の「基準電圧Ｖrefｍの分圧」と本願補正発明の「第１参照電圧」とは、「第１参照電圧に関する電圧」という点で共通する。
　よって、引用発明の「いずれかのブロックＢmの基準電圧Ｖrefｍの分圧を選択して、ブロックＢ1に対応して設けられたＡ／Ｄ変換器２２に供給するスイッチＳ２１及びＳ２２」と本願補正発明の「複数の第１参照電圧部に接続され、前記複数の第１参照電圧部のいずれかから供給される前記第１参照電圧を選択して、前記第２ＡＤＣに与える選択部」とは、「複数の第１参照電圧部に接続され、前記複数の第１参照電圧部のいずれかから供給される前記第１参照電圧に関する電圧を選択して、前記第２ＡＤＣに与える選択部」という点で共通する。
キ　引用発明の「単位セルの両端電圧のデジタル値」、「ブロックＢ2〜Ｂnの基準電圧の分圧値のデジタル値」は、それぞれ本願補正発明の「第１デジタル信号」、「第２デジタル信号」に相当する。
　また、引用発明の「低圧系制御回路３０」は、単位セルの両端電圧のデジタル値を取得し、補正していることから、本願補正発明の「電圧値取得部」及び「電圧値補正部」に相当する。
　よって、引用発明の「ブロックＢ2〜Ｂnに設けられたＡ／Ｄ変換器２２により変換された単位セルの両端電圧のデジタル値を検出し、前記ブロックＢ1に設けられたＡ／Ｄ変換器２２により変換された前記ブロックＢ2〜Ｂnの基準電圧の分圧値のデジタル値に基づいて補正する低圧系制御回路３０」は、本願補正発明の「前記複数の第１デジタル信号から、当該複数の蓄電セルの各々の電圧値を求める電圧値取得部と、前記各々の電圧値を、前記第２デジタル信号から得た補正データを基にして補正する電圧値補正部」に相当する。
（２）一致点及び相違点
　上記（１）の検討を総合すると、本願補正発明と引用発明の両者は、以下の一致点で一致し、以下の相違点で相違する。
＜一致点＞
　複数の蓄電セルが接続された蓄電モジュールに対して、各蓄電セルの電圧を測定する蓄電セル制御装置であって、
　前記蓄電セル制御装置は、
　前記複数の蓄電セルに対応して設けられる複数の第１ＡＤＣ（Ａｎａｌｏｇ−ｔｏ−Ｄｉｇｉｔａｌ　Ｃｏｎｖｅｒｔｅｒ）を備え、
　前記複数の第１ＡＤＣの各第１ＡＤＣは、前記蓄電モジュールにおける各蓄電セルの電圧が入力され、入力に応じた第１デジタル信号を出力し、
　前記蓄電セル制御装置は、さらに
　前記複数の第１ＡＤＣに対応してそれぞれ設けられ、当該第１ＡＤＣの変換動作の基準となる第１参照電圧を供給する複数の第１参照電圧部と、
　第２デジタル信号を出力する第２ＡＤＣと、
　前記複数の第１参照電圧部に接続され、前記複数の第１参照電圧部のいずれかから供給される前記第１参照電圧に関する電圧を選択して、前記第２ＡＤＣに与える選択部と、
　前記複数の第１デジタル信号から、当該複数の蓄電セルの各々の電圧値を求める電圧値取得部と、
　前記各々の電圧値を、前記第２デジタル信号から得た補正データを基にして補正する電圧値補正部と、を備える
　蓄電セル制御装置。
＜相違点１＞
　本願補正発明では、「複数の第１ＡＤＣ」が、「複数の蓄電セルの各蓄電セルに対応してそれぞれ設けられ」ているのに対して、引用発明では、Ａ／Ｄ変換器２２が、２個の単位セルから構成される複数のブロックの各ブロックに対応してそれぞれ設けられ、選択スイッチ群２４によって選択された、当該ブロックを構成する単位セルの一つの両端電圧をデジタル変換している点。
＜相違点２＞
　選択部が第２ＡＤＣに与える第１参照電圧に関する電圧について、本願補正発明では「第１参照電圧」そのものであるのに対して、引用発明では、Ａ／Ｄ変換器２２の基準電圧の分圧値である点。
５　当審の判断
（１）相違点１について
　上記相違点１について、検討する。
　検出器一般において、複数の検出対象をスイッチにより切り替えて、１つの検出器で検出することは、特に例を示すまでもなく従来からよく知られたものであるところ、その前提にある構成は、検出対象毎にそれぞれ検出器を設ける構成であることは明らかである。
　そうすると、引用発明においても、選択スイッチ群２４を設けて、各ブロックを構成する２個の単位セルから１つずつ選択して、デジタル変換を行う構成とするか、各単位セルにそれぞれ検出器を設けて、選択スイッチ群２４を設けることなくデジタル変換を行う構成とするかは、当業者が適宜になし得る構成にすぎず、後者の構成とすることに格別の困難性は認められない。
　したがって、上記相違点１に係る本願補正発明の発明特定事項は、引用発明に基づいて当業者が容易に想到し得るものである。
　なお、上記「４　対比」においては、引用発明の「複数のブロックＢ2〜Ｂn」を構成する「各単位セル」を、本願発明の「複数の蓄電セルの各蓄電セル」に相当するものとしたが、仮に、引用発明における「ブロックＢ1」及び「複数のブロックＢ2〜Ｂn」の各単位セルを、本願発明の「複数の蓄電セルの各蓄電セル」に相当するものとした場合、本願補正発明の「第１ＡＤＣ」に相当する引用発明の「ブロックＢ2〜Ｂnに対応して設けられたＡ／Ｄ変換器２２」は、ブロックＢ1を構成する各単位セルに対して設けられていないので、本願補正発明の「前記複数の蓄電セルの各蓄電セルに対応してそれぞれ設けられる複数の第１ＡＤＣ」という構成と相違することになる。
　しかしながら、本願補正発明の「第２ＡＤＣ」に相当する引用発明の「ブロックＢ1に対応して設けられたＡ／Ｄ変換器２２」は、ブロックＢ2〜Ｂnに対応して設けられたＡ／Ｄ変換器２２の基準電圧Ｖref2〜Ｖrefnの分圧値をデジタル値に変換するＡ／Ｄ変換器と、ブロックＢ1を構成する各単位セルの両端電圧をデジタル値に変換するＡ／Ｄ変換器を兼用しているところ、これらの異なる変換を、それぞれ別のＡ／Ｄ変換器で行うようにすることは、当業者が適宜になし得ることである。
　その場合、ブロックＢ1を構成する各単位セルの両端電圧をデジタル値に変換するＡ／Ｄ変換器が、本願補正発明の「複数の第１ＡＤＣ」に含まれることになることは明らかである。
（２）相違点２について
　上記相違点２について、検討する。
　一般に電圧を測定する際に、電圧そのものを測定するか、当該電圧を分圧したものを測定するかは、検出対象の電圧の大きさに応じて、当業者が適宜になし得るものにすぎず、引用発明において、Ａ／Ｄ変換器２２の基準電圧を、分圧せずにそのまま測定するようにすることは格別なものではない。
　したがって、上記相違点２に係る本願補正発明の発明特定事項は、引用発明に基づいて当業者が容易に想到し得るものである。
（３）小活
　以上のとおり、上記相違点１及び２に係る本願補正発明の発明特定事項は、引用発明に基づいて当業者が容易に想到し得るものである。
　そして、本願補正発明によって奏される効果は、引用発明から当業者が予測し得る程度のものにすぎない。
　よって、本願補正発明は、引用発明に基づいて当業者が容易に発明をすることができたものであるから、特許法第２９条第２項の規定により、特許出願の際独立して特許を受けることができない。
６　まとめ
　以上のとおり、本件補正は、特許法第１７条の２第６項で準用する同法第１２６条第７項の規定に違反するものであり、同法第１５９条第１項で読み替えて準用する同法第５３条第１項の規定により却下されるべきものである。 
　よって、上記補正の却下の決定の結論のとおり決定する。
第３　本願発明
　本件補正は上記のとおり却下されたので、本願の請求項１に係る発明（以下「本願発明」という。）は、平成３０年７月３１日にされた手続補正により補正された特許請求の範囲、明細書及び図面の記載からみて、その請求項１に記載された次の事項により特定されるとおりのものと認める。
「【請求項１】
　複数の蓄電セルが接続された蓄電モジュールに対して、各蓄電セルの電圧を測定する蓄電セル制御装置であって、
　前記蓄電モジュールにおける各蓄電セルの電圧がそれぞれ入力され、入力に応じた第１デジタル信号を出力する複数の第１ＡＤＣ（Ａｎａｌｏｇ−ｔｏ−Ｄｉｇｉｔａｌ Ｃｏｎｖｅｒｔｅｒ）と、
　前記複数の第１ＡＤＣに対応してそれぞれ設けられ、当該第１ＡＤＣの変換動作の基準となる第１参照電圧を供給する複数の第１参照電圧部と、
　第２デジタル信号を出力する第２ＡＤＣと、
　前記複数の第１参照電圧部に接続され、前記複数の第１参照電圧部のいずれかから供給される前記第１参照電圧を選択して、前記第２ＡＤＣに与える選択部と、
　前記複数の第１デジタル信号から、当該複数の蓄電セルの各々の電圧値を求める電圧値取得部と、
　前記各々の電圧値を、前記第２デジタル信号から得た補正データを基にして補正する電圧値補正部と、を備える
　蓄電セル制御装置。」
第４　原査定における拒絶の理由
　原査定の拒絶の理由２は、この出願の請求項１−１１に係る発明は、本願の優先日前に日本国内又は外国において、頒布された又は電気通信回線を通じて公衆に利用可能となった下記の引用文献１−８に記載された発明に基づいて、その優先日前にその発明の属する技術の分野における通常の知識を有する者が容易に発明をすることができたものであるから、特許法２９条２項の規定により特許を受けることができない、というものである。
引用文献１.特開２００９−１９８４４８号公報（上記引用刊行物１と同じ）
引用文献２.特開２００２−１５６３９２号公報（周知技術を示す文献）
引用文献３.特開平１１−１０９００５号公報
引用文献４.特開平１１−１６０３６７号公報
引用文献５.特開２０１３−１８５９０４号公報
引用文献６.特開２０１１−１５８２６８号公報
引用文献７.国際公開第２０１２／１５３３７２号
引用文献８.特開２０１３−９５１４号公報
第５　引用文献に記載された発明
　引用文献１に記載された発明は、前記「第２」の「３　引用刊行物に記載された発明」において、引用発明として示したとおりである。
第６　対比・判断
　本願発明は、前記「第２」の「５　当審の判断」で検討した本願補正発明について、「複数の第１ＡＤＣ」が「複数の蓄電セルの各蓄電セルに対応してそれぞれ設けられ」ているという限定を省いたものである。
　そうすると、本願発明の発明特定事項を全て含み、さらに当該発明特定事項の一部を限定したものに相当する本願補正発明が、前記「第２」の「５　当審の判断」において記載したとおり、引用発明に基づいて、当業者が容易に発明をすることができたものであるから、本願発明も同様の理由により、引用発明に基づいて、当業者が容易に発明をすることができたものである。
第７　むすび
　以上のとおり、本願発明は、引用発明に基づいて当業者が容易に発明をすることができたものであるから、特許法第２９条第２項の規定により特許を受けることができない。
　したがって、他の請求項に係る発明について審理するまでもなく、本件出願は拒絶すべきものである。
　よって、結論のとおり審決する。